(57)【要約】【課題】延長ノズル付きの吐出容器において、ノズルヘッドのノズル筒から延長ノズルが不意に脱落することを防止する。【解決手段】容器体２から起立されたノズルヘッド１２より側外方へノズル筒１２ｄが突設された主要部材１と、前記ノズル筒１２ｄの先端部へ嵌合された管壁１６を含み、この管壁１６の基端Ｅ１寄りに、当該基端と反対側に係合端面２２ａを有する係合突部２２を付設してなる延長ノズル１４と、前記ノズルヘッド１２の上側へ嵌着されたヘッドカバー３２を有するとともに、このヘッドカバー３２から前記ノズル筒１２ｄの上面に添って延びる連結アーム４０を介して係止部４２を突設してなるアダプタ３０とを具備する。前記係止部４２は、ノズルヘッド１２にヘッドカバー３２を装着させた状態で延長ノズル１４の脱落を防止できるように、係合突部２２の係合端面２２ａに係止された。【選択図】図２
2018104074.tif 000002
【特許請求の範囲】
【請求項１】
容器体(２)から起立されたノズルヘッド(１２)より側外方へノズル筒(１２ｄ)が突設された主要部材(１)と、
前記ノズル筒(１２ｄ)の先端部へ嵌合された管壁(１６)を含み、この管壁(１６)の基端(Ｅ１)寄りに、当該基端と反対側に係合端面(２２ａ)を有する係合突部(２２)を付設してなる延長ノズル(１４)と、
前記ノズルヘッド(１２)の上側へ嵌着されたヘッドカバー(３２)を有するとともに、このヘッドカバー(３２)から前記ノズル筒(１２ｄ)の上面に添って延びる連結アーム(４０)を介して係止部(４２)を突設してなるアダプタ(３０)と、
を具備し、
前記係止部(４２)は、ノズルヘッド(１２)にヘッドカバー(３２)を装着させた状態で延長ノズル(１４)の脱落を防止できるように、係合突部(２２)の係合端面(２２ａ)に係止されたことを特徴とする、延長ノズル付き吐出容器。
【請求項２】
前記アダプタ(３０)は、延長ノズル(１４)と別体であり、かつヘッドカバー(３２)をノズルヘッド(１２)の上側へ着脱自在に形成するとともに、ノズルヘッド(１２)からヘッドカバー(３２)を外した状態で、前記係止部(４２)を係合突部(２２)から分離させることが可能に設けたことを特徴とする、請求項１記載の延長ノズル付き吐出容器。
【請求項３】
前記係止部(４２)は、下側にノズル挿入口(４４Ａ)を有する円弧状の係止板部であり、当該係止板部の上端部が前記連結アーム(４０)の先部(４０ａ)に連結されていることを特徴とする、請求項２記載の延長ノズル付き吐出容器。
【請求項４】
前記係止部(４２)は、中央部にノズル挿通孔(４４Ｂ)を開口するリング状の係止板部であり、当該係止板部の上端部が前記連結アーム(４０)の先部(４０ａ)に連結されていることを特徴とする、請求項２記載の延長ノズル付き吐出容器。
【請求項５】
前記ヘッドカバー(３２)は、天板(３３)の外周部から小径の嵌合筒部(３６)と大径の操作筒部(３４)を垂下し、前記嵌合筒部(３６)を前記ノズルヘッド(１２)に嵌着するとともに、前記操作筒部(３４)に指をかけて引き上げることで、前記嵌合筒部(３６)をノズルヘッド(１２)から離脱させることができるように形成したことを特徴とする、請求項１から請求項４のいずれかに記載の延長ノズル付き吐出容器。
【発明の詳細な説明】
【技術分野】
【０００１】
本発明は、延長ノズル付き吐出容器に関する。
【背景技術】
【０００２】
容器体から起立されたノズルヘッドの側面から側外方へノズル筒を突出した吐出容器はよく知られているが、ノズル筒の先端から内容物が垂れて容器体に付着すると都合が悪い。しかしながら、ノズル筒の突出長を長くすると、商品の流通時などに嵩張るなどの問題を生ずる。
そこでノズル筒付きの吐出容器と別体として、延長ノズルを用意し、容器の使用時にノズル筒の先端部に嵌合するようにしたものが知られている（特許文献１）。
【先行技術文献】
【特許文献】
【０００３】
【特許文献１】特開２０１０−１０５７２０
【発明の概要】
【発明が解決しようとする課題】
【０００４】
特許文献１の延長ノズル付き吐出容器は、使用時に不意に他物が延長ノズルに触れたときに、当該延長ノズルがノズルヘッドのノズル筒から脱落してしまう可能性がある。
これを回避するために、ノズル筒の先端部に対して延長ノズルが固嵌めされるように延長ノズルの基端部の内径を、ノズル筒の先端部の外径に対してきつめに設計することもできるが、この場合には、延長ノズルをノズルヘッドから取り外して、これらを洗浄しようとするときに、容易に取り外しできなくなり、不便である。
【０００５】
本発明の一つの目的は、延長ノズル付きの吐出容器において、ノズルヘッドのノズル筒から延長ノズルが不意に脱落することを防止することであり、他の目的は、ノズルの洗浄などのために延長ノズルをノズルヘッドから取り外そうとするときには取り外し作業を容易に行うことができるようにすることである。
【課題を解決するための手段】
【０００６】
第１の手段は、容器体２から起立されたノズルヘッド１２より側外方へノズル筒１２ｄが突設された主要部材１と、
前記ノズル筒１２ｄの先端部へ嵌合された管壁１６を含み、この管壁１６の基端Ｅ１寄りに、当該基端と反対側に係合端面２２ａを有する係合突部２２を付設してなる延長ノズル１４と、
前記ノズルヘッド１２の上側へ嵌着されたヘッドカバー３２を有するとともに、このヘッドカバー３２から前記ノズル筒１２ｄの上面に添って延びる連結アーム４０を介して係止部４２を突設してなるアダプタ３０と、
を具備し、
前記係止部４２は、ノズルヘッド１２にヘッドカバー３２を装着させた状態で延長ノズル１４の脱落を防止できるように、係合突部２２の係合端面２２ａに係止されている。
【０００７】
本手段では、図２に示すように容器体２から起立されたノズルヘッド１２より側外方へノズル筒１２ｄが突設されたパーツを主要部材１とし、かつノズル筒１２ｄの先端部に延長ノズル１４を嵌合させた構造において、延長ノズルの脱落防止用のアダプタ３０を設けることを提案している。このアダプタ３０は、ノズルヘッド１２に嵌着されたヘッドカバー３２を含み、このヘッドカバー３２から延びる連結アーム４０を介して突設する係止部
４２を、延長ノズル１４の管壁１６の基端Ｅ１寄りに付設した係合突部２２に係合させている。
【０００８】
「延長ノズル」とは、ノズルヘッドに付設されたノズル筒の吐出流路を長くするためにノズル筒の先部に取り付けられるノズルを言うものとする。上方から見て容器体の輪郭よりも外方へ長く突出したタイプ（ロングノズル）が典型であるが、必ずしもこれに限られるものではない。
「主要部材」とは、本発明の容器の構成のうちで延長ノズル及びアダプタを除く部分という程度の意味であり、少なくとも容器体とノズルヘッドとを含む部材であれば足りる。図示例では、ポンプ機構を内蔵したポンプ容器を挙げているが、例えばエアゾール式吐出容器であっても良い。
「ノズルヘッド」とは、ノズル筒を有するヘッドという意味である。図示のポンプ式容器においては、押下げて操作する押下げヘッドを例示している。しかしながら、エアゾール容器の場合には、周知のように押し下げて操作するヘッドの他に、側方（通常はノズルを開口する方向）にヘッドを傾けるいわゆるチルトタイプのヘッドが用いられており、いずれもノズルヘッドに含まれる。
「アダプタ」は、前記ノズルヘッドへ装着される部材である。ノズルヘッドに対して着脱自在に装着するものが代表例であるが、本手段においては、ノズルヘッドに対して取り外し不能に装着されるものも除外されない。
「ノズルカバー」は、ノズルヘッドの全部または一部を覆うように形成されている。
「連結アーム」は、係止部が係合突部を確実に係止できる程度の強度を有するものであれば足りる。
好適な一実施例として、連結アーム４０がヘッドカバー３２から側外方へ突出され、かつこの突出方向から見て断面逆Ｕ形の曲り板部に形成されており、この曲り板部の先部に前記係止部４２が付設された構造が図示されている（図１参照）。
なお、連結アーム４０はある程度の可撓性を有するものであってもよく、例えばノズルヘッド１２からヘッドカバー３２を外すときに、連結アーム４０が撓んでヘッドカバー３２の取り外しが容易となるようにしても構わない。
【０００９】
第２の手段は、第１の手段を有し、かつ
前記アダプタ３０は、延長ノズル１４と別体であり、かつヘッドカバー３２をノズルヘッド１２の上側へ着脱自在に形成するとともに、ノズルヘッド１２からヘッドカバー３２を外した状態で、前記係止部４２を係合突部２２から分離させることが可能に設けている。
【００１０】
本手段では、図５に示すようにアダプタ３０を延長ノズル１４と別体とし、かつアダプタ３０のヘッドカバー３２をノズルヘッド１２の上側へ着脱自在に嵌合することを提案している。図４の状態から、ノズルヘッド１２からヘッドカバー３２を外し、次にアダプタ３０の係止部４２を延長ノズル１４の係合突部２２から分離させることができるようにしている。これにより、延長ノズル１４を洗浄することが容易となる。
【００１１】
第３の手段は、第２の手段を有し、かつ
前記係止部４２は、下側にノズル挿入口４４Ａを有する円弧状の係止板部であり、当該係止板部の上端部が前記連結アーム４０の先部４０ａに連結されている。
【００１２】
本手段では、図５に示すように、連結アーム４０の係止部４２を、下側にノズル挿入口４４Ａを有する円弧状の係止板部とすることを提案している。前記ノズル挿入口４４Ａに延長ノズル１４を挿入することにより連結アーム４０の係止部４２を延長ノズル１４の係合突部２２に容易に係止させることができる。
【００１３】
第４の手段は、第２の手段を有し、かつ
前記係止部４２は、中央部にノズル挿通孔４４Ｂを開口するリング状の係止板部であり、当該係止板部の上端部が前記連結アーム４０の先部４０ａに連結されている。
【００１４】
本手段では、図９に示すように、連結アーム４０の係止部４２は、中央部にノズル挿通孔４４Ｂを開口するリング状の係止板部とすることを提案している。前記ノズル挿通孔４４Ｂに延長ノズル１４を先端Ｅ２側から挿通させることにより、連結アーム４０の係止部４２を延長ノズル１４の係合突部２２により確実に係止させることができる。
【００１５】
第５の手段は、第１の手段から第４の手段のいずれかを有し、かつ
前記ヘッドカバー３２は、天板３３の外周部から小径の嵌合筒部３６と大径の操作筒部３４を垂下し、前記嵌合筒部３６を前記ノズルヘッド１２に嵌着するとともに、前記操作筒部３４に指をかけて引き上げることで、前記嵌合筒部３６をノズルヘッド１２から離脱させることができるように形成している。
【００１６】
本手段では、図２に示すように、ヘッドカバー３２は、天板３３の外周部から小径の嵌合筒部３６と大径の操作筒部３４を垂下することを提案している。前記嵌合筒部３６は前記ノズルヘッド１２に嵌着させるものとする。そして前記操作筒部３４に指をかけて引き上げることにより、前記嵌合筒部３６をノズルヘッド１２から容易に離脱させることができる。
【発明の効果】
【００１７】
第１の手段に係る発明によれば、ノズルヘッド１２のノズル筒１２ｄに延長ノズル１４を連結した構成において、ノズルヘッド１２の上面に嵌着されたヘッドカバー３２から連結アーム４０を介して突設した係止部４２を延長ノズル１４の係合突部２２に係止させたから、延長ノズル１４の脱落を防止できる。
第２の手段に係る発明によれば、前記アダプタ３０は、延長ノズル１４と別体であり、かつヘッドカバー３２をノズルヘッド１２の上側へ着脱自在に形成するとともに、ノズルヘッド１２からヘッドカバー３２を外した状態で、前記係止部４２を係合突部２２から分離させることが可能に設けたから、使用後に延長ノズル１４を洗浄などのために取り外すことが容易である。
第３の手段に係る発明によれば、係止部４２は、下側にノズル挿入口４４Ａを有する円弧状の係止板部であるから、ノズル挿入口４４Ａを介して延長ノズル１４を挿入し、或いは取り外すことが容易である。
第４の手段に係る発明によれば、係止部４２は、中央部にノズル挿通孔４４Ｂを開口するリング状の係止板部であるから、より延長ノズル１４の抜け出しをより的確に防止できる。
第５の手段に係る発明によれば、天板３３の外周部からノズルヘッド１２への嵌着用小径の嵌合筒部３６及び大径の操作筒部３４を垂下したから、操作筒部３４に指をかけて引き上げることで、前記嵌合筒部３６をノズルヘッド１２から容易に離脱させることができ、操作し易い。またヘッドカバー３２の天板３３がノズルヘッド１２より大径となるため、ヘッドカバー３２を押し下げ易い。
【図面の簡単な説明】
【００１８】
【図１】本発明の第１実施形態に係る延長ノズル付き吐出容器の平面図である。
【図２】図１の吐出容器の一部を断面で示す側面図である。
【図３】図１の吐出容器の正面図である。
【図４】図１の吐出容器の斜視図である。
【図５】図１の吐出容器の分解斜視図である。
【図６】本発明の第２実施形態に係る延長ノズル付き吐出容器の一部を断面で示す側面図である。
【図７】図６の吐出容器の正面図である。
【図８】図６の吐出容器の斜視図である。
【図９】図２の吐出容器の分解斜視図である。
【発明を実施するための最良の形態】
【００１９】
図１から図５は、本発明の第１実施形態に係る延長ノズル付き吐出容器を示している。この吐出容器は、主要部材１と延長ノズル１４とアダプタ３０とで構成されている。これら各部材は、合成樹脂や金属で形成することができる。
【００２０】
主要部材１は、従来公知の構成であり、本実施形態ではポンプ機構を内蔵した吐出容器として構成されているが、前述の通り、この構造は適宜変更することができる。図示例の主要部材１は、容器体２と、図示しないポンプシリンダと、装着キャップ４と、補助キャップ６と作動部材８とで構成されている。
容器体２は、胴部から図示しない口頸部を起立している。
装着キャップ４は、前記口頸部の外面に嵌合された装着筒４ａの上端から内向きフランジ４ｂを内方突出している。
ポンプシリンダは、シリンダ周壁の上端に付設した鍔状のフランジ部を有し、このフランジ部を口頸部と内向きフランジ４ｂとの間に挟持させることで、容器体２内に支持されている。ポンプシリンダの下部からは液体吸い上げパイプが垂下されており、かつポンプシリンダの下部に第１逆止弁が設けられている。
補助キャップ６は、作動部材８の抜け止め手段であり、キャップ周壁の下半部をポンプシリンダの上部内に嵌合するとともに、上半部外面にネジ部を形成し、かつキャップ周壁の上半部から外向きフランジ６ａを外方突出している。
作動部材８は、前記ポンプシリンダの内面を摺動する筒状ピストンを下部に有するとともに、前記補助キャップ６から起立するステム１０の上端のノズルヘッド１２を付設している。ノズルヘッド１２はヘッド頂壁１２ａの裏面中央部から、前記ステムに好ましくは着脱自在に取り付ける取付筒部（図示せず）を垂下するとともに、ヘッド頂壁１２ａの外周部から大径のヘッド周壁１２ｂ及び小径の補助周壁１２ｃを垂下している。この補助周壁１２ｃは、図示例では前記補助キャップ６のキャップ周壁の上半部に螺合可能に形成している。ヘッド周壁１２ｂの前面からは、前記ステム１０に連通するノズル筒１２ｄを前方突出している。
なお、本明細書において、便宜的に、図２の左方（ノズル筒を突出する方向）を“前”、同図の右方を“後”というものとする。
作動部材８の内部には、第２逆止弁（図示せず）が形成されており、容器体２に対する作動部材８の昇降により、容器体２内の液体を、第１逆止弁を介してポンプシリンダ内へ吸い込むとともに、ポンプシリンダ内の液体を、第２逆止弁を介してノズル筒１２ｄから外部へ吐出するように形成している。なお、容器の内容物は液体に限定されない。
【００２１】
延長ノズル１４は、図２に示すように、その延長ノズル１４の基端Ｅ１側を前記ノズル筒１２ｄの先端部側に嵌合してなり、内容物の吐出流路を延長する役割を有する。本実施形態の延長ノズル１４は、少なくとも管壁１６とこの管壁１６の基端寄りに付設された係合突部２２とを有する。
図示例において、管壁１６は長手方向中間部に屈曲部１８を有し、この屈曲部１８より基端Ｅ１側では前下方へ傾斜し、屈曲部１８より先端Ｅ２側では垂直に垂下している。もっともこれらの構造は適宜変更することができる。
また本実施形態では、管壁１６の基部（基端Ｅ１近傍の管壁部分をいう）を、図２に点線で示すように、基部以外の管壁部分から段差Ｓを介して拡径する大内径部２０に形成している。延長ノズル１４を、ノズル筒１２ｄの先端部に嵌合させるときには、この先端部が前記段差Ｓに突き当たるまで延長ノズル１４を嵌合させればよい。これにより、ノズル
筒１２ｄ及びヘッドカバー３２に対する延長ノズル１４の係合突部２２の位置決めをすることができ、ノズル筒１２ｄへの延長ノズル１４の嵌合長さが不足することにより、後述の係止部４２を係合突部２２に係止できないという不具合がなくなる。
前記係合突部２２は、管壁１６の先端Ｅ２に近い側に係合端面２２ａを有し、この係合端面に後述の係止部４２を係止させることが可能に形成されている。図示例の係合突部２２は、係合鍔部として形成されているが、係止部４２を係止させることができる限り、どのような構造でも構わない。図示例では、係合突部２２が大内径部２０の最も基端Ｅ１寄りに付設されているが、その配置は適宜変更することができる。
【００２２】
アダプタ３０は、延長ノズルの取付を補助する治具であり、ヘッドカバー３２と、連結アーム４０と、係止部４２とを有する。図示例ではこれらは一体に成形されている。
【００２３】
前記ヘッドカバー３２は、ノズルヘッド１２より大径の天板３３を有し、この天板３３の外周部から足の短い大径の操作筒部３４及び足の長い小径の嵌合筒部３６を２重筒状に垂下しており、また天板３３の中央部から押下げ用筒部３８を垂下している。
前記嵌合筒部３６は、ノズルヘッド１２のヘッド周壁１２ｂの外面に嵌合されている。前記嵌合筒部３６の筒壁の前部には切欠き３６ａが形成されており、前記ヘッド周壁１２ｂへの嵌合状態で切欠き３６ａ内をノズル筒１２ｄが挿通するように形成されている。また嵌合筒部３６の下端部内面には、ヘッド周壁１２ｂの下端面に係合可能な係合リブ３６ｂが付設されている。
前記操作筒部３４は、その下面に指を掛けてヘッドカバー３２を引き上げるための手段である。図示例では、操作筒部３４の前壁部を開口して、この開口箇所から連結アーム４０が前方へ延出している。
前記押下げ用筒部３８は、嵌合筒部３６をヘッド周壁１２ｂに嵌合させた状態で、押下げ用筒部の筒壁下端がノズルヘッド１２のヘッド頂壁１２ａの上面に当接するように形成している。
【００２４】
前記連結アーム４０は、前記操作筒部３４の前部からノズル筒１２ｄに添って前方へ突設されている。“添って”という用語は、ノズル筒１２ｄの外面に連結アーム４０がぴったりと接していることを意味するものではなく、図示例では、連結アーム４０とノズル筒１２ｄとの間には隙間が存在する。
また好適な図示例では、連結アーム４０は、突設方向から見て断面逆Ｕ字形の曲り板部に形成されている。これにより連結アーム４０の剛性が高まる。連結アーム４０を含むアダプタ３０を、可撓性のある材料で形成することができる。この明細書でＵ字状というときには、円弧状を含み、例えば下側が浅くくぼんだ形状を含むものとする。
【００２５】
前記係止部４２は、連結アーム４０の先部４０ａから、前記係合突部２２の係合端面２２ａに係止可能に連結アーム４０の内側へ突出している。
図示例の係止部は、連結アームである曲り板部の先端全体から内方突出する円弧状の係止板部に形成されており、下側からノズル筒を挿通可能なノズル挿入口４４Ａを有する。もっとも係止部４２の形状は適宜変更することができ、例えば連結アーム４０の先端の一部から凸状に内方突出する突起でも構わない。
なお、本明細書において、“円弧状の係止板部”とは、第２実施形態のリング状の係止板部と区別するために用いる用語であり、正確に円弧である必要はない。
【００２６】
上記構成において、前述の主要部材１に延長ノズル１４及びアダプタ３０を組み付けるときには、図５に示す状態から、延長ノズル１４の基端Ｅ１側をノズルヘッド１２のノズル筒１２ｄに嵌合させる。ノズル筒１２ｄの先端部が延長ノズル１４内の段差Ｓに突き当たるときの触感によって利用者は十分にノズル筒１２ｄが嵌入されたことを理解できる。この状態で、延長ノズル１４の係合突部２２の係合端面２２ａにアダプタ３０の係止部４
２を当接させて、図２に想像線で示す状態からヘッドカバー３２を押下げると、同図に実線で示す如く、ノズルヘッド１２の外面に嵌着させることができる。アダプタ３０を可撓性材料で形成したときには、連結アーム４０が撓むとともに切欠き３６ａを設けた嵌合筒部３６が容易に拡開するので、嵌着作業がよりスムーズとなる。
図２の状態でアダプタ３０の係止部４２が延長ノズル１４の係合突部２２に係止しているので、延長ノズル１４が不意に脱落することを防止できる。この状態でヘッドカバー３２の天板３３を押下げると、押下げ用筒部３８を介してノズルヘッド１２が押し下げられ、ポンプシリンダ内の液体がノズル筒１２ｄを経て延長ノズル１４から吐出される。
使用後に延長ノズル１４を洗浄するときには、図２の状態から操作筒部３４の後壁部に指を掛けて引き上げるとよい。この後壁部は、嵌合筒部３６よりも後方に、すなわち、係止部４２から見て遠くにあるから、操作筒部３４の後壁部を力点、係止部４２を支点、ノズルヘッド１２への嵌合筒部３６の嵌合箇所を作用点とするテコの原理により、嵌合筒部３６の係合リブ３６ｂが前記ヘッド周壁１２ｂの下端から容易に外れる。
ヘッドカバー３２をノズルヘッド１２から取り外した後に、延長ノズル１４をノズル筒１２ｄから取り外すことができる。これにより、延長ノズル１４を容易に洗浄することができる。もちろん、ノズルヘッド１２もステム１０から取り外して洗浄することができる。
【００２７】
以下、本発明の他の実施形態に係る延長ノズル付き吐出容器を説明する。これらの説明において第１実施形態と同じ構成に関しては解説を省略する。
【００２８】
図６から図９は、本発明の第２実施形態に係る延長ノズル付き吐出容器を示している。本実施形態は、アダプタ３０の係止部４２の形態を変更したものである。
すなわち、本実施形態の係止部４２は、図７及び図８に示す如く、中心にノズル挿通孔４４Ｂを有するリング状の係止板部に形成されている。前記係合突部２２の係合端面２２ａに対して、第１実施形態では円弧状の係止板部のみで当接するのに対して、本実施形態ではリング状の係止板部が係止するので、係止力がより向上する。
本実施形態において、延長ノズル１４及びアダプタ３０を主要部材１に組み付けるときには、図９に示す状態より、延長ノズル１４を先端Ｅ２側からアダプタ３０のノズル挿通孔４４Ｂに挿入し、係止部４２が係合突部２２の係合端面２２ａに当接するまで延長ノズル１４を挿通させる。そして図６に想像線で示す状態からヘッドカバー３２をノズルヘッド１２に嵌着させればよい。
【符号の説明】
【００２９】
１…主要部材
２…容器体  ４…装着キャップ  ４ａ…装着筒  ４ｂ…内向きフランジ
６…補助キャップ  ６ａ…外向きフランジ  ８…作動部材  １０…ステム
１２…ノズルヘッド  １２ａ…ヘッド頂壁  １２ｂ…ヘッド周壁  １２ｃ…補助周壁
１２ｄ…ノズル筒  
１４…延長ノズル  １６…管壁  １８…屈曲部  ２０…大内径部
２２…係合突部（鍔部）  ２２ａ…係合端面
３０…アダプタ  ３２…ヘッドカバー  ３３…天板  ３４…操作筒部
３６…嵌合筒部  ３６ａ…切欠き  ３６ｂ…係合リブ
３８…押下げ用筒部  ４０…連結アーム  ４０ａ…先部
４２…係止部  
４４Ａ…ノズル挿入口
４４Ｂ…ノズル挿通孔
Ｅ１…基端  Ｅ２…先端  Ｓ…段差
【図１】
2018104074.tif 000003
【図２】
2018104074.tif 000004
【図３】
2018104074.tif 000005
【図４】
2018104074.tif 000006
【図５】
2018104074.tif 000007
【図６】
2018104074.tif 000008
【図７】
2018104074.tif 000009
【図８】
2018104074.tif 000010
【図９】
2018104074.tif 000011